(57)【要約】【課題】開閉体の開閉時に手指を挟み難く、ヒンジの軸受部を強固に取り付けて大重量の開閉体を安定して確実に回動できる建具とする。【解決手段】縦枠本体５０の内側面５０ａに内向き突部６０を設けて吊り元側縦枠２１とすると共に、吊り元側縦框３２を断面略円形とすることで手指を挟み難くし、前記内向き突部６０の上端面と縦枠本体５０の内側面５０ａと上枠２０の下面２０ａとで凹部５を形成し、この凹部５に突出した取付用ブラケット４４と上框３０とに、ヒンジ４の軸受部４ａを有した取付部材４０を固着して取り付けることで、軸受部４ａを強固に取り付けて大重量の開閉体３を安定して確実に回動できるようにする。【選択図】図５
2014105492.tif 000002
【特許請求の範囲】
【請求項１】
開閉体をその吊り元側上部に取付部を介して取り付けたヒンジにより枠体に開閉可能に設けた建具であって、
前記枠体の吊り元側縦枠は、縦枠本体の内側面に内向き突部を有し、かつ前記開閉体の吊り元側縦框は断面略円形であり、
前記吊り元側縦枠は、前記縦枠本体を上枠まで連続すると共に前記内向き突部のみを前記上枠と離隔することで前記内向き突部の上端面と前記上枠の下面との間に面内方向に向かう凹部を形成し、
前記開閉体の吊り元側上部には、前記吊り元側縦框の外周面から前記凹部に突出する突出部を有する取付用ブラケットを設け、
前記ヒンジの軸受部を有した取付部材は、その軸受部を境として両側に一側取付部と他側取付部を有し、
前記一側取付部は前記開閉体上部に取り付け、かつ前記他側取付部は前記取付ブラケットの前記突出部に取り付けられることを特徴とする建具。
【請求項２】
前記吊り元側縦枠は前記縦枠本体に別体の内向き突部が取り付けられている請求項１記載の建具。
【請求項３】
前記取付用ブラケットは、軸受部を備えた横向き部と、この横向き部と連続した縦向き部を有し、
前記横向き部の長手方向一側部を、取付部材の一側取付部を上框に固着する裏板として上框に固着し、
前記横向き部の長手方向他側部に取付部材の他側取付部を固着具で固着し、
前記縦向き部を吊り元側縦框に固着具で固着して取り付けた請求項１又は２記載の建具。
【請求項４】
前記取付用ブラケットを、前記横向き部を有した上ブラケットと、前記縦向き部を有した下ブラケットを固着具で連結したものとした請求項３記載の建具。
【請求項５】
前記取付用ブラケットの吊り元側縦框の外周面から凹部に突出した突出部を覆うカバー体を設け、
このカバー体と縦枠本体の内側面との間の隙間及び、カバー体と内向き突部の上端面との間の隙間を防塵材で閉塞した請求項１〜４いずれか１項記載の建具。
【発明の詳細な説明】
【技術分野】
【０００１】
本発明は、建物の出入口に取り付ける扉等の枠体に開閉体を開閉可能に設けた建具に関する。
【背景技術】
【０００２】
建物の出入口に取り付ける扉が特許文献１に開示されている。
この扉は、上枠と左右の縦枠からなる枠体と、この枠体に開閉可能に設けられた扉体を備え、吊り元側縦枠に補助枠を設け、扉体の吊り元側縦框を断面略円形とすると共に、その吊り元側縦框を下のヒンジと上のヒンジで回動可能に枠に支持することで、扉体の開閉時に吊り元側縦框と補助枠との間に手指を挟み込み難く、安全性を向上できる。
【先行技術文献】
【特許文献】
【０００３】
【特許文献１】特許第４８６０９４３号公報
【発明の概要】
【発明が解決しようとする課題】
【０００４】
前述した従来の扉は、その上のヒンジは上枠に下向きに設けた軸受部と、吊り元側縦框に設けた軸受部を備えたピボットヒンジで、吊り元側縦框の回動中心を外周面の中心とするために、軸受部を吊り元側縦框の外周面の中心に設けているから、吊り元側縦框に軸受部を固着するスペースを確保できず、その軸受部を扉体の横框に固着している。
このために、上のヒンジの軸受部の取付強度に限度があり、大重量の扉体を安定して確実に回動自在に支持できないことがある。
例えば、扉体の幅、高さが大きい大型サイズの扉体を安定して確実に回動自在に支持できないことがある。
【０００５】
本発明の目的は、枠体に開閉体を開閉可能に設けた建具において、開閉体の開閉時に、枠体の吊り元側縦枠と開閉体の吊り元側縦框との間に手指を挟み込み難く安全性を向上できると共に、その開閉体の上部を枠体に回動自在に支持するヒンジの軸受部を開閉体に強固に取り付けることで、大重量の開閉体を安定して確実に回動自在に支持できる建具とすることである。
【課題を解決するための手段】
【０００６】
本発明は、開閉体をその吊り元側上部に取付部を介して取り付けたヒンジにより枠体に開閉可能に設けた建具であって、
前記枠体の吊り元側縦枠は、縦枠本体の内側面に内向き突部を有し、かつ前記開閉体の吊り元側縦框は断面略円形であり、
前記吊り元側縦枠は、前記縦枠本体を上枠まで連続すると共に前記内向き突部のみを前記上枠と離隔することで前記内向き突部の上端面と前記上枠の下面との間に面内方向に向かう凹部を形成し、
前記開閉体の吊り元側上部には、前記吊り元側縦框の外周面から前記凹部に突出する突出部を有する取付用ブラケットを設け、
前記ヒンジの軸受部を有した取付部材は、その軸受部を境として両側に一側取付部と他側取付部を有し、
前記一側取付部は前記開閉体上部に取り付け、かつ前記他側取付部は前記取付ブラケットの前記突出部に取り付けられることを特徴とする建具である。
【０００７】
本発明の建具は、前記吊り元側縦枠は前記縦枠本体に別体の内向き突部が取り付けられているものとすることができる。
このようにすれば、内向き突部を縦枠本体よりも短くすることで凹部を形成できるから、その凹部を容易に形成できる。
【０００８】
本発明の建具は、前記取付用ブラケットは、軸受部を備えた横向き部と、この横向き部と連続した縦向き部を有し、
前記横向き部の長手方向一側部を、取付部材の一側取付部を上框に固着する裏板として上框に固着し、
前記横向き部の長手方向他側部に取付部材の他側取付部を固着具で固着し、
前記縦向き部を吊り元側縦框に固着具で固着して取り付けることができる。
このようにすれば、取付用ブラケットを上框と吊り元側縦框に固着して開閉体に強固に取り付けていると共に、取付部材の一側取付部を横向き部を裏板として上框に強固に取り付けでいるから軸受部の取付強度をより一層強くできる。
【０００９】
本発明の建具は、前記取付用ブラケットを、前記横向き部を有した上ブラケットと、前記縦向き部を有した下ブラケットを固着具で連結したものにできる。
このようにすれば、上ブラケットと下ブラケットを別々に取り付けた後に連結して取付用ブラケットとすることができ、その取付用ブラケットの取り付けが容易である。
【００１０】
本発明の建具は、前記取付用ブラケットの吊り元側縦框の外周面から凹部に突出した突出部を覆うカバー体を設け、
このカバー体と縦枠本体の内側面との間の隙間及び、カバー体と内向き突部の上端面との間の隙間を防塵材で閉塞することができる。
このようにすれば、取付用ブラケットの凹部に突出した突出部が見えないので、見栄えが良いと共に、凹部とカバー体との間の防塵性が優れたものとなる。
【発明の効果】
【００１１】
本発明によれば、開閉体の開閉時に、枠に吊り元側縦枠と開閉体の吊り元側縦框との間に手指を挟み込み難く安全性を向上できる。
開閉体の上部を枠体に回動自在に支持するヒンジの軸受部を有した取付部材は、その軸受部を境として面内方向の両側部を固着して取り付けているので、その軸受部を開閉体に強固に取り付けることができ、大重量の開閉体を安定して確実に回動自在に支持できる。
取付用ブラケットの突出部は吊り元側縦框の上部から凹部に突出し、その取付用ブラケットの突出部は高いところにあるから、通常の開閉体の開閉時に手指が取付用ブラケットの突出部に触れることはなく、その取付用ブラケットの突出部と吊り元側縦枠の上部との間に手指を挟まれることはない。
【図面の簡単な説明】
【００１２】
【図１】本発明の実施の形態を示す建具の正面図である。
【図２】図１のＡ−Ａ線に沿う拡大断面図である。
【図３】図１のＢ部拡大図である。
【図４】図３のＣ−Ｃ線に沿う断面図である。
【図５】図４のＤ−Ｄ線に沿う断面図である。
【発明を実施するための形態】
【００１３】
本発明の建具は、図１に示すように、建物の出入口などの開口１を形成する枠体２と、枠体２に開閉可能に設けた開閉体３を備えている。
枠体２は、上枠２０と左右の縦枠２１，２１を有し、枠体２と床２２で開口１を形成している。
なお、枠体２を上枠２０と左右の縦枠２１，２１と下枠を有するものとし、その枠体２で開口１を形成することもできる。
つまり、枠体２は、少なくとも上枠２０と左右の縦枠２１，２１を有するものである。
【００１４】
開閉体３は上框３０と下框３１と吊り元側縦框３２と戸先側縦框３３を方形状に連結し、その内部にパネルやガラス等のパネル体３４が装着してある。
そして、吊り元側縦框３２の下部が図示しない下のヒンジで床２２に面外方向に回動可能に支持され、吊り元側縦框３２の上部が上のヒンジ４で面外方向に回動可能に支持されている。
この吊り元側縦框３２と隣接した左右一方の縦枠２１が吊り元側縦枠で、戸先側縦框３３と隣接した左右他方の縦枠２１は戸先側縦枠である。
なお、枠体２に左右一対の開閉体を開閉可能に設けた建具の場合には、左右の縦枠２１がそれぞれ吊り元側縦枠である。
【００１５】
吊り元側縦枠となる左右一方の縦枠２１は、図１と図２と図３に示すように、縦枠本体５０と、この縦枠本体５０の面内方向の内側面５０ａ（吊り元側縦框３２に向かう面）に設けた内向き突部６０を有している。
縦枠本体５０と上枠２０が連結されている。
内向き突部６０は縦枠本体５０よりも短く、その上部は上枠２０の下部と離隔し、上框２０の下面２０ａと縦枠本体５０の内側面５０ａと内向き突部６０の上端面６０ａとの間に面内方向の内側に開口した凹部５を形成している。
【００１６】
縦枠本体５０は図２に示すように、面外方向一側の面内方向に向かう一側部５１と面外方向他側の面内方向に向かう他側部５２を面外方向に向かう連結部５３で連結した断面略コ字形状で、連結部５３の内面が内側面５０ａである。
【００１７】
内向き突部６０は図２に示すように、面外方向に向かう基端板６１と、この基端板６１の面外方向一側端と連続した面内方向の内側に向かう一側板６２と、基端板６１の面外方向他側端と連続した面内方向の内側に向かう他側板６３と、一側板６２、他側板６３の面内方向内側端を連結する面外方向に向かう先端板６４を有した中空形状である。
一側板６２、他側板６３は基端寄りの傾斜面６２ａ，６３ａと先端寄りの平行面６２ｂ，６３ｂでほぼくの字形状で、内向き突部６０は、基端から先端に向けて面外方向の寸法（見込み寸法）が順次小さくなるように傾斜した基端寄りの傾斜面と、この傾斜面の先端と連続して先端に向かい、面外方向の寸法（見込み寸法）が同一となるような平行面を有し、その先端板６４の見込み寸法が基端板６１の見込寸法よりも小さい。
【００１８】
図２においては、縦枠本体５０と内向き突部６０は別体でそれぞれアルミ押出形材より成り、縦枠本体５０の内側面５０ａに内向き突部６０がビスなどにより固着して取り付けてある。つまり、縦框にアタッチメントを取り付けてある。
これにより、内向き突部６０を切断等して縦枠本体５０よりも短く作成してビスなどで連結することによって吊り元側縦枠２１とすることができるから、枠体２に前述の凹部５を簡単に形成できる。
【００１９】
つまり、吊り元側縦枠を縦枠本体５０と内向き突部６０を一体に有するものとしても良いが、その場合には内向き突部６０の上部分を縦枠本体５０から切断等して除去して凹部５を形成することになるから、その作業が面倒となる。
【００２０】
吊り元側縦框３２は図２に示すように、外周面３２ａがパネル体３４を取り付ける面内方向内側のパネル取付部３２ａ−１以外が円形で、断面略円形である。
そして、吊り元側縦框３２と吊り元側縦枠２１は、外周面３２ａが内向き突部６０の先端板６４と面内方向の隙間を置いて対向している。
図２に示す吊り元側縦框３２は、縦框本体３５と、縦框カバー３６を備えている。
【００２１】
縦框本体３５は面外方向に対向した２つの円弧状片３５ａ，３５ａと、面内方向に対向した２つの直線状片３５ｂ，３５ｂを有した中空形状で、一方の直線状片３５ｂが前述のパネル取付部３２ａ−１である。
縦框カバー３６は円弧状に湾曲していると共に、縦框本体３５の他方の直線状片３５ｂに取り付けられ、２つの円弧状片３５ａを円弧状に連続する。
この縦框カバー３６には凹陥部３６ａが形成され、防塵材３７が装着してある。
この防塵材３７は吊り元側縦枠２１の内向き突部６０の先端板６４、つまり、先端面に接触し、開閉体３が閉じ位置のときに吊り元側縦框３２の外周面３２ａと吊り元側縦枠の内向き突部６０の先端面との間の隙間を塞ぐようにしている。
縦框本体３５、縦框カバー３６はアルミ押出形材より成る。
【００２２】
そして、開閉体３が図２に仮想線で示すように、最大開放位置まで回動したときに、内向き突部６０の基端寄りの傾斜面６２ａと開閉体３との間の隙間を、手指の厚さよりも大きくすることで、開閉体３の開閉時に、枠体２の吊り元側縦枠２１と開閉体３の吊り元側縦框３２との間に手指を挟み込み難く安全性を向上できる。
【００２３】
上のヒンジ４は図３〜図５に示すように、軸受部４ａと支軸４ｂを備え、その軸受部４ａが吊り元側縦框３２の外周面３２ａの中心とほぼ同一位置、好ましくは同一位置に上向きに設けてある。
支軸４ｂは上枠２０に設けられ、この支軸４ｂに軸受部４ａが回転可能に嵌合している。
つまり、上のヒンジ４はピボットヒンジである。
【００２４】
軸受部４ａは取付部材４０に設けてある。この取付部材４０は軸受部４ａよりも面内方向一側方に突出した一側取付部４１と、軸受部４ａよりも面内方向他側方に突出した他側取付部４２を有している。
そして、一側取付部４１は吊り元側縦框３２の外周面３２ａから上框３０に突出し、上框３０の横板３０ａの上面に接し、固着具、例えばビス４３で固着して取り付けられる。
他側取付部４２は吊り元側縦框３２の外周面３２ａから吊り元側縦枠側、つまり凹部５に突出している。
【００２５】
このように、軸受部４ａを有した取付部材４０の他側取付部４２は凹部５に位置し、吊り元側縦框３２に直接固着できないので、開閉体３の吊り元側上部に取付用ブラケット４４を取り付け、この取付用ブラケット４４の凹部５に位置した突出部に他側取付部４２を固着具、例えばビス４５で固着して取り付ける。
【００２６】
このように、軸受部４ａを設けた取付部材４０を、その軸受部４ａを境とした面内方向の両側部で固着しているから、軸受部４ａの取付強度が強く、大重量の開閉体３を安定して確実に回動自在に支持できる。
【００２７】
取付用ブラケット４４は横向き部４４ａと、この横向き部４４ａと連続した縦向き部４４ｂを有している。
横向き部４４ａが、吊り元側縦框３２の２つの直線状片３２ｂに形成した上端面に開口した凹部３２ｃに嵌まり合い、その長手方向一側部４４ａ−１が上框３０の横板３０ａの下面に接して固着具、例えばビス４６で固着して取り付ける。
前述の一側取付部４１からビス４３を上框３０の横板３０ａの孔を貫通して長手方向一側部４４ａ−１のビス穴４４ｃに螺合することで、取付部材４０の一側取付部４１が上框３０の横板３０ａに取り付けられる。
これにより、横向き部４４ａの長手方向一側部４４ａ−１が裏板の役目を果たすから、一側取付部４１の上框３０への取付強度が大である。
【００２８】
横向き部４４ａの長手方向他側部４４ａ−２は吊り元側縦框３２の外周面３２ａから凹部５に突出し、その長手方向他側部４４ａ−２が前述の突出部で、その上面に他側取付部４２がスペーサ４７を介して接すると共に、ビス４５を長手方向他側部４４ａ−２のビス穴４４ｄに螺合することで、他側取付部４２が取付用ブラケット４４の突出部に取り付けられる。スペーサ４７はビス４７ａで横向き部４４ａに固着して取り付けてある。
【００２９】
取付用ブラケット４４の縦向き部４４ｂは、前述の凹部３２ｃから吊り元側縦框３２の縦框本体３５内に突出して一方の直線状片３２ｂの内面に接し、固着具、例えばビス４８で固着して取り付ける。
縦框本体３５の上端面よりも縦框カバー３６の上端面が下方に位置し、取付用ブラケット４４の部分には縦框カバー３６が存在しないようにすることで、縦框カバー３６を切断等せずに取付用ブラケット４４を凹部５に突出できるようにしてある。
【００３０】
取付用ブラケット４４は上ブラケット７０と下ブラケット７１を有している。
上ブラケット７０は、前述の横向き部４４ａに相当する横片７０ａと、その横片７０ａの長手方向他端部に下向きに設けた垂下片７０ｂと、その垂下片７０ｂの下端部に面内方向の内側に向けて設けた連結横片７０ｃとで略コ字形状である。
下ブラケット７１は、前述の縦向き部４４ｂに相当する縦片７１ａと、この縦片７１ａの上部に面内方向の外側に向けて設けた連結横片７１ｂとで鉤形状である。
そして、上ブラケット７０の横片７０ａを前述のように横框３０に取り付けると共に、下ブラケット７１の縦片７１ａを前述のように吊り元側縦框３２の縦框本体３５の一方の直線状片３５ｂに取り付け、連結横片７０ｃ，７１ｃ同士を固着具、例えばビス７３で固着することで、横向き部４４ａと縦向き部４４ｂを有した取付用ブラケット４４とする。
【００３１】
このようにすることで、上ブラケット７０と下ブラケット７１を別々に取り付けた後に連結横片７０ｃ，７１ｂを固着することで取付用ブラケット４４を取り付けでき、その取付用ブラケット４４の取り付けが容易である。
なお、上ブラケット７０の連結横片７０ｃと下ブラケット７１の連結横片７１ｂを一体として上ブラケット７０と下ブラケット７１が一体に連続した取付用ブラケット４４とすることができる。
【００３２】
取付用ブラケット４４の吊り元側縦框３２の外周面３２ａから凹部５に突出した突出部にカバー体８０が取り付けられ、その突出部を覆って見えないようにしてある。
カバー体８０は、面内方向の一端面板８０ａと、下面板８０ｂと面外方向の一側面板８０ｃ、他側面板８０ｄで囲まれ、上面と面内方向の一側方が開口した箱形状で、その一端面板８０ａをビス８１で取付用ブラケット４４（上ブラケット７０の垂下片７０ｂ）に固着して取り付け、各面板を吊り元側縦框３２の外周面３２ａに接している。
【００３３】
カバー体８０の一端面板８０ａにベース材８２を前述のビス８１で固着して取り付け、このベース材８２に防塵材８３を装着してある。
この防塵材８３は吊り元側縦枠の縦枠本体５０の内側面５０ａに接触している。
【００３４】
吊り元側縦枠の内向き突部６０の基端板６１にブラケット６５が固着具、例えばビス６５ａで固着して取り付けてある。
このブラケット６５に小ロフタ６６とベース材６７がビス６５ｂで固着して取り付け、そのベース材６７に防塵材６８が上向きに設けてある。
この防塵材６８はカバー体８０の下面板８０ｂに接触している。
【００３５】
このようであるから、カバー体８０と凹部５との間の隙間が防塵材６８，８３で閉塞され、防塵性が優れたものとなる。
【００３６】
開閉体３の開閉によりカバー体８０が回動するが、このカバー体８０は開閉体３の吊り元側の上部に設けてあるから、通常の開閉動作時に人がカバー体８０に触れることなく、カバー体８０と縦枠本体５０との間、カバー体８０と内向き突部６０との間に人の手指が挟まれることはない。
【００３７】
この実施の形態では、開閉体３が面外方向一側方及び面外方向他側方に回動して開放できる出入口に設置する扉としてあるが、開閉体３を面外方向一側方又は面外方向他側方にのみ回動して開放できる扉とすることもできる。
【符号の説明】
【００３８】
１…開口、２…枠体、３…開閉体、４…上のヒンジ、４ａ…軸受部、４ｂ…支軸、５…凹部、２０…上枠、２０ａ…下面、２１…縦枠（吊り元側縦枠）、３０…上框、３２…吊り元側縦框、３２ａ…外周面、４０…取付部材、４１…一側取付部、４２…他側取付部、５０…縦枠本体、５０ａ…内側面、６０…内向き突部、６０ａ…上端面、６８…防塵材、７０…上ブラケット、７１…下ブラケット、８０…カバー体、８３…防塵材。
【図１】
2014105492.tif 000003
【図２】
2014105492.tif 000004
【図３】
2014105492.tif 000005
【図４】
2014105492.tif 000006
【図５】
2014105492.tif 000007